(57)【特許請求の範囲】
【請求項１】
空気中の水分を吸着するための第１及び第２デシカントロータと、熱交換を行うための第１及び第２顕熱交換器とを備え、外部の空気が、前記第１デシカントロータの吸湿部、前記第１顕熱交換器、前記第２デシカントロータの吸湿部、前記第２顕熱交換器及び前記第１デシカントロータの再生部をこの順で流れるデシカント空調装置であって、
前記第１デシカントロータの前記吸湿部においては、外部から導入された空気中の水分が吸収され、前記第１顕熱交換器においては、室内から外部に排出される空気との熱交換によって、前記第１デシカントロータにて水分が吸収された空気が冷却され、前記第２デシカントロータの吸湿部においては、前記第１顕熱交換器にて冷却された空気中の水分がさらに吸収され、前記第２顕熱交換器においては、室内から外部に排出される空気との熱交換によって、前記第２デシカントロータにて水分が吸収された空気が冷却され、前記第１デシカントロータの前記再生部においては、前記第２顕熱交換器にて冷却された空気によって前記第２デシカントロータが再生され、前記第２デシカントロータの前記再生部の排出側には、前記第２デシカントロータの再生に利用した空気を排出するための第１排出ラインが設けられ、前記第１デシカントロータの前記吸湿部、前記第１顕熱交換器、前記第２デシカントロータの前記吸湿部、前記第２顕熱交換器及び前記第１デシカントロータの前記再生部を通して流れて冷却された空気が前記第１排出ラインから空調対象空間に送られ、
また、前記第２顕熱交換器と前記第１デシカントロータの前記再生部との間には、前記第２顕熱交換器にて冷却された空気を排出するための第２排出ラインが設けられ、前記第１デシカントロータの前記吸湿部、前記第１顕熱交換器、前記第２デシカントロータの前記吸湿部及び前記第２顕熱交換器を通して流れて除湿された空気が前記第２排出ラインから空調対象空間に送られることを特徴とするデシカント空調装置。
【請求項２】
第２顕熱交換器と第１デシカントロータの前記再生部とは、前記第２顕熱交換器にて冷却された空気を前記第１デシカントロータの前記再生部に導く除湿空気送給ラインを介して接続され、前記第２排出ラインは前記除湿空気送給ラインに接続され、前記第２排出ラインと前記除湿空気送給ラインとの接続部にダンパー手段が配設されていることを特徴とする請求項１に記載のデシカント空調装置。
【請求項３】
前記ダンパー手段の開度を制御するための制御手段を更に備え、前記制御手段は、外部空気の温度及び湿度並びに空調対象空間の温度及び湿度に基づいて前記ダンパー手段の開度を調整し、これによって、前記第１及び第２排出ラインを通して排出される空気の流量が調整されることを特徴とする請求項２に記載のデシカント空調装置。
【請求項４】
前記制御手段は、室内の温度変化状態の程度を示す温度遷移及び湿度変化状態の程度を示す湿度遷移に基づいて前記ダンパー手段の開度を制御し、温度遷移が律速であるときは前記第１排出ラインから排出される空気の流量が増大するように、また湿度遷移が律速のときには前記第２排出ラインから排出される空気の流量が増大するように前記ダンパー手段の開度を制御することを特徴とする請求項３に記載のデシカント空調装置。
【発明の詳細な説明】
【技術分野】
【０００１】
本発明は、調湿材による吸湿作用を利用して外部からの空気を冷却して室内空間の冷房に用いるデシカント空調装置に関する。
【背景技術】
【０００２】
従来から、調湿材の吸湿作用を利用したデシカント空調装置が知られている（例えば、特許文献１及び特許文献２参照）。このようなデシカント空調装置は、吸湿材を備えたデシカントロータ及び顕熱交換手段としての例えば顕熱ロータを備え、外部からの空気は吸入流路を通して室内空間に導入され、空調対象空間（例えば、室内空間）からの空気は排出流路を通して外部に排出され、デシカントロータ及び顕熱ロータは吸入流路及び排出流路にまたがって配設されている。吸入側においては、外部からの空気は、デシカントロータの吸湿部を流れた後に顕熱ロータの吸熱部を流れ、排出側においては、例えば室内からの空気は顕熱ロータの放熱部を流れた後にデシカントロータの再生部を流れ、デシカントロータは吸湿部及び再生部を通して回動され、顕熱ロータは吸熱部及び放熱部を通して回動される。
【０００３】
このようなデシカント空調装置においては、外部からの空気が吸入流路を流れる際に、デシカントロータの吸湿部において空気中の水分が吸湿され、その後顕熱ロータの吸熱部において空気中の熱が吸熱され、除湿及び冷却された空気が室内に送給される。また、室内からの空気が排出流路を流れる際に、顕熱ロータの放熱部において吸熱した熱が放熱されて加温され、その後デシカントロータの再生域において吸湿した水分が放出され、加湿された空気が外部に排出される。
また、このようなデシカント空調装置において、二つのデシカントロータを組み合わせて室内を冷房するようにしたものも提案されている（例えば、特許文献３参照）。かかるデシカント空調装置を用いて室内を除湿するのは、一般に梅雨時期や夏季等であり、梅雨時期や夏期等では、このようなデシカント空調装置とは別の空調装置（冷房装置）によって冷房されることがある。
【先行技術文献】
【特許文献】
【０００４】
【特許文献１】特開２００３−４２５５号公報
【特許文献２】特開２００８−１６４２０３号公報
【特許文献３】特開２００８−２４９２７２号公報
【発明の概要】
【発明が解決しようとする課題】
【０００５】
ところが、従来型の上述した空調装置は全館空調システムであるため、選択的な空調ができないという欠点を有している。更に説明すると、全館空調システムは集中制御により運転が実現しているため、各居室に設置された家庭用エアコンのように、ある空調対象空間は冷房を行い、別の空調対象空間では除湿を行うというように、空調対象空間ごとに機能を振り分ることができない。
また、従来の空調装置は、室内の温度を制御することで間接的に湿度も制御しているため、顕熱負荷（温度の下がり難さ）と潜熱負荷（湿度の下がり難さ）とをそれぞれ独立に制御しておらず、更に運転中は、機器本体への戻り空気の温度及び湿度しか検知しておらず、現状の制御では、空調対象空間の特性に応じた温度及び湿度の双方の制御を行っているとは言い難い。
本発明は、かかる事情に鑑みてなされたものであり、その目的は、複数の空調機能を同時に実行させることができるデシカント空調装置を提供することである。
【０００６】
また、本発明の他の目的は、空調対象空間の顕熱特性と潜熱特性に応じた温度及び湿度の制御を実行させることができるデシカント空調システムを提供することである。
【課題を解決するための手段】
【０００７】
本発明の請求項１に記載のデシカント空調装置は、空気中の水分を吸着するための第１及び第２デシカントロータと、熱交換を行うための第１及び第２顕熱交換器とを備え、外部の空気が、前記第１デシカントロータの吸湿部、前記第１顕熱交換器、前記第２デシカントロータの吸湿部、前記第２顕熱交換器及び前記第１デシカントロータの再生部をこの順で流れるデシカント空調装置であって、
前記第１デシカントロータの前記吸湿部においては、外部から導入された空気中の水分が吸収され、前記第１顕熱交換器においては、室内から外部に排出される空気との熱交換によって、前記第１デシカントロータにて水分が吸収された空気が冷却され、前記第２デシカントロータの吸湿部においては、前記第１顕熱交換器にて冷却された空気中の水分がさらに吸収され、前記第２顕熱交換器においては、室内から外部に排出される空気との熱交換によって、前記第２デシカントロータにて水分が吸収された空気が冷却され、前記第１デシカントロータの前記再生部においては、前記第２顕熱交換器にて冷却された空気によって前記第２デシカントロータが再生され、前記第２デシカントロータの前記再生部の排出側には、前記第２デシカントロータの再生に利用した空気を排出するための第１排出ラインが設けられ、前記第１デシカントロータの前記吸湿部、前記第１顕熱交換器、前記第２デシカントロータの前記吸湿部、前記第２顕熱交換器及び前記第１デシカントロータの前記再生部を通して流れて冷却された空気が前記第１排出ラインから空調対象空間に送られ、
また、前記第２顕熱交換器と前記第１デシカントロータの前記再生部との間には、前記第２顕熱交換器にて冷却された空気を排出するための第２排出ラインが設けられ、前記第１デシカントロータの前記吸湿部、前記第１顕熱交換器、前記第２デシカントロータの前記吸湿部及び前記第２顕熱交換器を通して流れて除湿された空気が前記第２排出ラインから空調対象空間に送られることを特徴とする。
【０００８】
また、本発明の請求項２に記載のデシカント空調装置では、第２顕熱交換器と第１デシカントロータの前記再生部とは、前記第２顕熱交換器にて冷却された空気を前記第１デシカントロータの前記再生部に導く除湿空気送給ラインを介して接続され、前記第２排出ラインは前記除湿空気送給ラインに接続され、前記第２排出ラインと前記除湿空気送給ラインとの接続部にダンパー手段が配設されていることを特徴とする。
【０００９】
また、本発明の請求項３に記載のデシカント空調装置では、前記ダンパー手段の開度を制御するための制御手段を更に備え、前記制御手段は、外部空気の温度及び湿度並びに空調対象空間の温度及び湿度に基づいて前記ダンパー手段の開度を調整し、これによって、前記第１及び第２排出ラインを通して排出される空気の流量が調整されることを特徴とする。
【００１０】
更に、本発明の請求項４に記載のデシカント空調装置では、前記制御手段は、室内の温度変化状態の程度を示す温度遷移及び湿度変化状態の程度を示す湿度遷移に基づいて前記ダンパー手段の開度を制御し、温度遷移が律速であるときは前記第１排出ラインから排出される空気の流量が増大するように、また湿度遷移が律速のときには前記第２排出ラインから排出される空気の流量が増大するように前記ダンパー手段の開度を制御することを特徴とする。
【発明の効果】
【００１１】
本発明の請求項１に記載の発明によれば、外部からの空気が第１デシカントロータの吸湿部、第１顕熱交換器、第２デシカントロータの吸湿部及び第２顕熱交換器をこの順で流れ、第１及び第２デシカントロータの吸湿部を通ることによって、空気中の水分が過剰に除湿され、この過剰に除湿された空気が第２デシカントロータの再生部を通過することによって、デシカントロータに吸着されていた水分が過乾燥空気に放出され、この放出の際の水分気化によって空気の熱が奪われて冷却され、このように冷却された空気が第１排出ラインから排出されて空調対象空間に送られる。また、第２顕熱交換器と第１デシカントロータの再生部との間に第２排出ラインが設けられているので、第１及び第２デシカントロータの吸湿部を通ることによって除湿された空気が第２排出ラインから排出されて空調対象空間に送られる。従って、例えば、第１排出ラインから送給ダクトを通して空調対象空間に導くことによって、冷たい空気を送給して空調対象空間を冷房することができ、また第２排出ラインから送給ダクトを通して空調対象空間に導くことによって、除湿された空気を送給して空調対象空間を除湿することができる。更に、第１排出ラインからの送給ダクト及び第２排出ラインからの送給ダクトの双方を空調対象空間に導くことによって、空調対象空間を冷房及び除湿することができ、空調対象空間の温度及び湿度を制御することができる。
【００１２】
また、本発明の請求項２に記載のデシカント空調装置によれば、第２顕熱交換器からの空気を第１デシカントロータの再生側に導く除湿空気送給ラインに第２排出ラインが設けられているので、この第２排出ラインからは除湿された空気が排出され、また第１デシカントロータの再生部を通過した排出側の第１排出ラインからは冷却された空気が排出され、一つのデシカント空調装置から二つの異なる空調空気を生み出すことができる。また、除湿空気送給ラインと第２排出ラインとの接続部にダンパー手段が配設されているので、このダンパー手段の開度を調整することによって、第１排出ラインから排出される冷却空気の流量と第２排出ラインから排出される除湿空気の流量との流量比率を調整することができる。
【００１３】
また、本発明の請求項３に記載の発明によれば、ダンパー手段の開度が外部空気の温度及び湿度並びに空調対象空間の温度及び湿度に基づいて調整されるので、空調対象空間の温度変化状態（換言すると、顕熱負荷）と湿度変化状態（換言すると、顕熱負荷）に応じて、第１排出ラインから排出される冷房空気の流量と第２排出ラインから排出される除湿空気の流量との比率を調整することができる。
更に、本発明の請求項４に記載の発明によれば、ダンパー手段の開度が空調対象空間の温度遷移及び湿度遷移に基づいて制御され、温度遷移が律速であるときは、第１排出ラインから排出される冷却空気の流量が増大され、湿度遷移が律速のときには、第２排出ラインから排出される除湿空気の流量が増大されるように制御されているので、空調対象空間の潜熱負荷及び顕熱負荷に応じた制御を行うことができる。
【図面の簡単な説明】
【００１４】
【図１】本発明に従うデシカント空調装置の一実施形態の全体を示す簡略図。
【図２】図１のデシカント空調装置の制御系を示すブロック図。
【図３】図３の制御系による空調運転制御における特性判定に到るまでの流れを示すフローチャート。
【図４】図３の制御系による温度遷移律速の制御の流れを示すフローチャート。
【図５】図３の制御系による湿度遷移律速の制御の流れを示すフローチャート。
【図６】図１のデシカント空調装置におけるダンパー手段の開度テーブルを示す図。
【図７】ダンパー手段の開度を説明するための説明図。
【図８】図８（ａ）及び（ｂ）は、湿度遷移律速及び温度遷移律速を説明するための説明図。
【発明を実施するための形態】
【００１５】
以下、添付図面を参照して、本発明に従うデシカント空調装置の一実施形態について説明する。図１において、図示のデシカント空調装置は、空調対象空間（例えば、室内空間）の天井などに設置される装置ハウジング２を備え、この装置ハウジング２に、第１デシカントロータ４、第１顕熱交換器６、第２デシカントロータ８及び第２顕熱交換器１０が内蔵されている。
【００１６】
この実施形態では、装置ハウジング２の一端面側（図１において左端面側）に外気吸入部１２、外部排出部１４、第１排出部１６及び第２排出部１８が設けられている。外気吸入部１２は外部の空気を吸入するもので、この外気吸入部１２を通して外部空気が吸入される。外部排出部１４は、外部に空気を排出するもので、この外部排出部１４通して外部に空気が排出される。第１排出部１６は、後述するようにして冷却された空気を排出する第１排出ライン２０の一部を構成し、この第１排出ライン２０を通して冷却空気が排出される。また，第２排出部１８は、後述するようにして除湿された空気を排出する第２排出ライン２２の一部を構成し、この第２排出ライン２２を通して除湿空気が排出される。尚、図示していないが、第１排出ライン２０には、冷却空気を空調対象空間（一つ又は複数でよい）に導くための送給ダクトが接続され、また第２排出ライン２２には、除湿空気を空調対象空間（一つ又は複数でよい）に導くための送給ダクトが接続される。
【００１７】
また、装置ハウジング２の他端面側（図１において右端面側）に室内吸入部２３が設けられている。室内吸入部２３は、空調対象空間からの室内空気を吸入するためのもので、この室内吸入部２３を通して室内空気が吸入される。尚、図示していないが、この室内吸入部２３には、空調対象空間から延びる吸入ダクトが接続される。
【００１８】
このデシカント空調装置においては、外気吸入部１２は、吸入側ライン２４（所謂、吸入流路）を通して第１排出部１６（即ち、第１排出ライン２０）に連通され、また室内吸入部２３は、排出側ライン２６（所謂、排出流路）を介して外部排出部１４に連通されている。
【００１９】
この実施形態では、吸入側ライン２４は、外気導入部１２から第１デシカントロータ４の吸湿部２８及び第１顕熱交換器６を通って第２デシカントロータ８の吸湿部３０に至り、この第２デシカントロータ８の吸湿部３０及び第２顕熱交換器１０を通り、更に第１デシカントロータ４の再生部３２を通って第１排出部１６（即ち、第１排出ライン２０）に至る。また、排出側ライン２６は、その中間部が第１中間分岐ライン３２及び第２中間分岐ライン３４に分岐され、第１中間分岐ライン３２は第１顕熱交換器６を通して排出側ライン２６の下流側部に合流し、また第２中間分岐ライン３４は、第２顕熱交換器１０及び第２デシカントロータ８の再生部３６を通して排出側ライン２６の下流側部に合流し、この排出側ライン２６の下流側部は外部排出部１４に至る。
【００２０】
第１及び第２デシカントロータ４，８は円板状であり、それらの全体がハニカム状構造に形成されて多数の通気孔が設けられ、これらハニカム状構造の表面に吸湿材が塗布されている。第１デシカントロータ４は、吸入側ライン２４の上流側部（具体的には、外気吸入部１２と第１顕熱交換器６との間の部位であって、第１吸湿域Ｋ１）とその下流側部（第２顕熱交換器１０と第１排出部１６との間の部位であって、第１再生域Ｓ１）にまたがって配設される。第１デシカントロータ４における吸入側ライン２４の上流側部に位置する部位は吸湿部２８として機能し、この吸湿部２８において除湿材が空気中に含まれる水分を吸湿する。また、第１デシカントロータ４における吸入側ライン２４の下流側部に位置する部位は再生部３２として機能し、この再生部３２において吸湿された水分が奪い取られて吸湿材が再生される。
【００２１】
この第１デシカントロータ４には、例えば電動モータから構成される第１駆動源４２が駆動連結され、第１駆動源４２によって第１デシカントロータ４が矢印４４で示す方向に第１吸湿域Ｋ１及び第１再生域Ｓ１を通して回動され、かく回動されることによって、第１吸着域Ｋ１において空気中の水分の吸着が、また第１再生域Ｓ１において吸着された水分の放出が連続的に行われる。
【００２２】
また、第２デシカントロータ８は、吸入側ライン２４の中間部（具体的には、第１顕熱交換器６と第２顕熱交換器１０との間の部位であって、第２吸着域Ｋ２）と排出側ライン２６（第２中間分岐ライン３４における第２顕熱交換器１０の配設部位よりも下流側の部位であって、第２再生域Ｓ２）にまたがって配設される。第２デシカントロータ８における吸入側ライン２４の中間部に位置する部位は吸湿部３０として機能し、この吸湿部３０において除湿材が空気中に含まれる水分を吸湿する。また、第２デシカントロータ８における排出側ライン２６（具体的には、第２中間分岐ライン３４）に位置する部位は再生部３６として機能し、この再生部３６において吸湿された水分が奪い取られて吸湿材が再生される。
【００２３】
この第２デシカントロータ８には、例えば電動モータから構成される第２駆動源４６が駆動連結され、第２駆動源４６によって第２デシカントロータ４が矢印４８で示す方向に第２吸湿域Ｋ２及び第２再生域Ｓ２を通して回動され、かく回動されることによって、第２吸着域Ｋ２において空気中の水分の吸着が、また第２再生域Ｓ２において吸着された水分の放出が連続的に行われる。
【００２４】
吸入側ライン２４には、外部空気を吸入するための吸入送風機５０が設けられ、この吸入送風機５０は、吸入側ライン２４における第２顕熱交換器１０と第１デシカントローラ４の再生部３２との間の部位に配設されている。また、排出側ライン２６には、空調対象空間の空気（室内空気）を排出するための排出送風機５２が設けられ、この排出送風機５２は、排出側ライン２６の下流側部（具体的には、第１及び第２中間分岐ライン３２，３４の合流部よりも下流側部位）に設けられている。尚、この吸入送風機５０は、例えば、吸入側ライン２４における第１デシカントロータ４の吸湿部２８よりも上流側部位に配設するようにしてもよく、また排出送風機５２は、例えば排出側ライン２６の上流側部位（具体的には、第１及び第２中間分岐ライン３２，３４の分岐部よりも上流側部位）に配設するようにしてもよい。
【００２５】
このデシカント空調装置においては、更に、排出側ライン２６の第２中間分岐ライン３４（具体的には、第２顕熱交換器１０と第２デシカントロータ８の再生部３６との間の部位）に、加熱手段としての温水熱交換器５４が設けられている。この温水熱交換器５４に関連して、温水を生成するための熱源機５６が設けられ、この熱源機５６と温水熱交換器５４とが温水循環ライン５８を介して接続され、熱源機５６にて生成された温水は、温水循環ライン５８及び温水熱交換器５４を通して循環される。尚、加熱手段として電気的加熱手段（例えば、電気ヒータ）を用いるようにしてもよい。
【００２６】
また、吸入側ライン２４の上流側端部（第１デシカントロータ４の第１吸着域Ｋ１よりも上流側部位）に第１温度検知手段６０及び第１湿度検知手段６２が配設されている。第１温度検知手段６０は、外気吸入部１２を通して吸入された空気の温度（換言すると、外部空気の温度）を検知し、第１湿度検知手段６２は、外気吸入部１２を通して吸入された空気の湿度（換言すると、外部空気の湿度）を検知する。
【００２７】
更に、排出側ライン２６の上流側端部（第１中間分岐ライン３２及び第２中間分岐ライン３４の分岐部よりも上流側部位）に第２温度検知手段６４及び第２湿度検知手段６６が配設されている。第２温度検知手段６４は、室内吸入部２３を通して吸入された空気の温度（換言すると、空調対象空間である室内空気の温度）を検知し、第２湿度検知手段６６は、室内吸入部２３を通して吸入された空気の湿度（換言すると、室内空気の湿度）を検知する。
【００２８】
このデシカント空調装置では、吸入側ライン２４の下流側部（この実施形態では、第２顕熱交換器１０からの空気を第１デシカントロータ４の再生部３２（第１再生域Ｓ１）に導く除湿空気送給ライン６８）に第２排出ライン２２が接続され、この除湿空気送給ライン６８と第２排出ライン２２との接続部位にダンパー手段７０が配設されている。ダンパー手段７０は、第２顕熱交換器１０からの空気を第１デシカントロータ４の再生部３２（第１再生域Ｓ１）に送給する流量と第２排出ライン２２に送給する流量とを制御し（換言すると、それらの送給比率を制御する）、これによって、第１排出ライン２０を通して排出される冷却空気と第２排出ライン２２を通して排出される除湿空気との流量比率が調整される。
【００２９】
このデシカント空調装置では、外部空気は吸入側ライン２４を通して流れ、空調対象空間の空気（室内空気）は、排出側ライン２６を通して流れ、かく流れる間に、吸入側ライン２４を流れる空気が次のようにして除湿及び冷却され、生成された冷却空気は、第１排出ライン２０を通して更に下流側に流れ、生成された除湿空気は、第２排出ライン２２を通して更に下流側に流れる。
【００３０】
外気吸入部１２を通して吸入側ライン２４に吸入された空気は、第１デシカントロータ４の吸湿部２８に流れ、この吸湿部２８を流れる間に、第１デシカントロータ４の除湿材に水分が吸着されてその温度が上昇する。そして、除湿された高温の空気が第１顕熱交換器６に流れ、この第１顕熱交換器６において、第１中間分岐ライン３２を流れる室内空気との間で熱交換が行われ、この熱交換によって吸入側ライン２４の空気の温度が低下する。その後、温度が低下した除湿空気が第２デシカントロータ８の吸湿部３０に流れ、この吸湿部３０を流れる間に、第２デシカントロータ８の除湿材に水分が更に吸着されて過剰に除湿されてその温度が上昇する。
【００３１】
この過剰に除湿された高温の空気は、第２顕熱交換器１０に流れ、この第２顕熱交換器１０において、第２中間分岐ライン３４を流れる室内空気との間で熱交換が行われ、この熱交換によって吸入側ライン２４の空気の温度が低下し、このようにして第２顕熱交換器１０の下流側、即ち除湿空気送給ライン６８に流れる。この除湿空気の一部は、ダンパー手段７０を介して第２排出ライン２２に流れ、このようにして、この第２排出ライン２２を通して除湿空気を得ることができる。
【００３２】
また、この除湿空気の残部は、ダンパー手段７０を介して第１デシカントロータ４の再生部３２に流れ、この再生部３２を通して流れる間に、過剰に除湿された空気が、この第１デシカントロータ４の吸湿材に吸着された水分を奪い取り（この水分の奪い取りにより、第１デシカントロータ４の除湿材の再生が行われる）、奪い取った水分によって空気の湿度が上昇する一方、この水分の脱着に伴う気化熱によって空気が冷却され、冷却された空気が第１排出ライン２０に流れ、このようにして第１排出ライン２０を通して冷却空気を得ることができる。
【００３３】
尚、第２デシカントロータ８においては、空調対象空間から第２中央分岐ライン３４に送給された室内空気は、上述したように、第２顕熱交換器１０を通して流れる間に、吸入側ライン２４を流れる空気との間の熱交換によって加温され、この加温された空気は、温水熱交換器５４において、熱源機５６から温水循環ライン５８を通して流れる温水との間の熱交換によって更に加温され、このように加温された空気が第２デシカントロータ８の再生部３６に送給される。そして、第２デシカントロータ８の再生部３６を流れる間に、この加温された空気が、第２デシカントロータ８の吸湿材に吸着された水分を奪い取り、これによって、第２デシカントロータ８の除湿材が再生される。
【００３４】
このデシカント空調装置は、図２に示す制御系によって制御される。デシカント空調装置は、吸入送風機５０及び排出送風機５２などを後述する如く制御するための制御手段７２を備え、この制御手段７２は、例えばマイクロプロセッサから構成される。この制御手段７２は、温度差演算手段７４、湿度差演算手段７６、開度設定手段７８、温度遷移演算手段８０、湿度遷移演算手段８２及び律速判定手段８４を含んでいる。
【００３５】
温度差演算手段７４は、リモコン８６により設定される空調対象空間（室内空間）の設定温度と空調対象空間の温度（この形態では、室内吸入部２３を通して吸入された室内空気の温度を検知する第２温度検知手段６４の検知温度）との温度差を演算し、湿度差演算手段７６は、リモコン８６により設定される空調対象空間（室内空間）の設定湿度と空調対象空間の湿度（この形態では、室内吸入部２３を通して吸入された室内空気の湿度を検知する第２湿度検知手段６６の検知湿度）との湿度差を演算する。また、開度設定手段７８は、ダンパー手段７０の開度を後述するように設定する。ダンパー手段７０には、ダンパー（図示せず）を回動させるための第３駆動源８８（例えば、電動モータから構成される）が設けられ、かかる第３駆動源８８によって、ダンパー手段７０のダンパー開度が後述する如く制御される。
【００３６】
温度遷移演算手段８０は、空調対象空間における温度の遷移状態を演算し、湿度遷移演算手段８２は、空調対象空間における湿度の遷移状態を演算する。この実施形態では、所定時間間隔（例えば、２０〜３０分程度に設定される）毎に空調対象空間の温度及び湿度を検知し、温度遷移演算手段８０は、この所定時間前後の空調対象空間の検知温度に基づいて温度遷移状態を演算し、また湿度遷移演算手段８２は、この所定時間前後の空調対象空間の検知湿度に基づいて湿度遷移状態を演算する。そして、律速判定手段８４は、温度遷移演算手段８０及び湿度遷移演算手段８２の演算結果に基づいて律速を判定し（即ち、湿度の変化状態と温度の変化状態のどちらの変化状態の方が小さいかを判定する）、温度の変化状態の方が小さいときには温度遷移が律速と判定し、湿度の変化状態の方が小さいときには湿度遷移が律速と判定する。
【００３７】
この制御手段７２は、更に、運転モード設定手段８７、計時手段９０及びメモリ手段９２を含んでいる。運転モード設定手段８７は、デシカント空調装置の運転モードを設定するためのもので、律速判定手段８４が温度遷移が律速と判定したときには、運転モード設定手段８７は温度優先モードの運転を設定し、また律速判定手段８４が湿度遷移が律速と判定したときには湿度優先モードの運転を設定する。計時手段９０は時間を計時し、例えば、律速判定する時間間隔である所定時間などを計時する。また、メモリ手段９２には、ダンパー手段７０の開度を決定する開度テーブル、温度優先モードの運転を行うための温度優先モードプログラム及び湿度優先モードの運転を行うための湿度優先モードプログラムなどが登録されている。
【００３８】
また、このデシカント空調装置の運転を入力操作するためのリモコン８６は、温度設定手段９４、湿度設定手段９６及び電源スイッチ９８を備えている。温度設定手段９４は、空調対象空間（室内空間）の温度を設定するためのもので、例えば設定温度をアップする温度アップスイッチ及び設定温度をダウンする温度ダウンスイッチから構成される。また湿度設定手段９６は、空調対象空間の湿度を設定するためのもので、例えば設定湿度をアップする湿度アップスイッチ及び設定湿度をダウンする湿度ダウンスイッチから構成される。更に、電源スイッチ９８は、デシカント空調装置を作動、作動停止するためのもので、一度押圧操作するとデシカント空調装置が作動し、再度押圧操作するとその作動が停止する。
【００３９】
このリモコン８６からの操作入力信号は、上述した制御手段７２に送給されるとともに、第１及び第２温度検知手段６０，６４並びに第１及び第２湿度検知手段６２，６６からの検知信号も制御手段７２に送給され、制御手段７２は、これらの操作入力信号及び検知信号に基づいて吸入送風機５０、排出送風機５２、熱源機４２及び第１〜第３駆動源４２，４６，８８を後述する如く作動制御する。
【００４０】
次に、図１及び図２とともに図３〜図６を参照して、上述したデシカント空調装置の運転制御について説明する。デシカント空調装置による空調を行うには、リモコン８６の電源スイッチ９８をオン操作すればよく（ステップＳ１）、このようにオン操作すると、デシカント空調装置は空調運転モードで運転され、上述したようにして第１排出ライン２０から冷却空気が排出され、第２排出ライン２２から除湿空気が排出され（ステップＳ２）、この運転開始により、計時手段９０の計時が開始する（ステップＳ３）。
【００４１】
そして、リモコン８６の温度設定手段９４を入力操作すると、ステップＳ４からステップＳ５に移り、入力操作した温度に設定される。また、湿度設定手段９６を入力操作すると、ステップＳ６からステップＳ７に進み、入力操作した温度に設定される。尚、温度設定手段９４及び／又は湿度設定手段９６を入力操作しないときには、予め設定されていた設定温度及び／又は設定湿度がそのまま保たれる。
【００４２】
次に、空調対象空間（室内空間）の温度及び湿度の検知が行われる（ステップＳ８）。即ち、第２温度検知手段６４は、室内吸入部２３を通して吸入された室内空気の温度を検知し、第２湿度検知手段６６は、この室内空気の湿度を検知し、これら検知信号が制御手段７２に送給され、その検知室内温度及び検知室内湿度がメモリ手段９２に記憶される。
【００４３】
次いで、外部空気（外気）の温度及び湿度の検知が行われる（ステップＳ９）。即ち、第１温度検知手段６０は、外気吸入部１２を通して吸入された外部空気の温度を検知し、第１湿度検知手段６２は、この外部空気の湿度を検知し、これら検知信号が制御手段７２に送給され、その検知外気温度及び検知外気湿度がメモリ手段９２に記憶される。
【００４４】
そして、外気温度と設定温度に基づいてダンパー手段７０の開度が設定される（ステップＳ１０）。即ち、温度差演算手段７６は、第１温度検知手段６０の検知温度とリモコン８６の温度設定手段９４により設定された設定温度の温度差を演算し、開度設定手段７８はダンパー手段７０の開度を決定する。この形態では、ダンパー開度設定テーブル（図６参照）に基づいてダンパー手段７０の開度が決定され、外気温度と設定温度の差が８〜１０℃の範囲のときには、ダンパー手段７０の開度が１/２に決定され、その温度差が１０℃を超えているときには、ダンパー手段７０の開度が２/３に決定され、またその温度差が８℃より小さいときには、ダンパー手段７０の開度が１/３に決定され、開度設定手段７８は、このように決定された開度を設定する。
【００４５】
ここで、図６及び図７を参照して、ダンパー手段７０の開度を設定する開度テーブル及びこの開度と冷却空気及び除湿空気の送給量との関係を説明する。この形態では、ダンパー手段７０の開度は、全閉（開度テーブル：「０」）と全開（開度テーブル「１」）との間を５段階に（全体で７段階）に設定されるように構成されている。このダンパー手段７０が全閉（開度テーブル：「０」）のときには、除湿空気送給ライン６８の下流側部が全閉される一方、第２排出ライン２２が全開状態となり、除湿空気送給ライン６８の上流側部からの除湿空気の全てが第２排出ライン２２に導かれる。また、このダンパー手段７０が全開（開度テーブル：「１」）のときには、第２排出ライン２２が全閉される一方、除湿空気送給ライン６８の下流側部が全開状態となり、除湿空気送給ライン６８の上流側部からの除湿空気の全てが除湿空気送給ライン６８の下流側部に導かれる。そして、図７から理解されるように、この開度テーブルの値が「０」に近づくほど第２排出ライン２２に流れる空気の送給量が増大し（これに伴い、除湿空気送給ライン６８の下流側部に流れる空気の送給量が減少する）、従って、上述した記載から理解されるように、第２排出ライン２２から取り出せる除湿空気の量が増加し（これに伴い、第１排出ライン２０から取り出せる冷却空気の量が減少し）、一方この開度テーブルの値が「１」に近づくほど除湿空気送給ライン６８の下流側部に流れる空気の送給量が増大し（これに伴い、第２排出ライン２２に流れる空気の送給量が減少する）、従って、第１排出ライン２０から取り出せる冷却空気の量が増加する（これに伴い、第２排出ライン２２から取り出せる除湿空気の量が減少する）。尚、この実施形態では、ダンパー手段７０の開度が全開と全閉との間を５段階に設定可能であるが、開度制御を簡単にするために５段階よりも少なくしてもよく、或いはより高精度に制御するために５段階よりも多くするようにしてもよい。
【００４６】
このようにして所定時間（例えば、２０〜３０分程度に設定される）の運転が行われると、ステップＳ１１からステップＳ１２に進む。一方、この運転中に電源スイッチ９８をオフ操作すると、ステップＳ１１からステップＳ１３を経てステップＳ１４に進み、デシカント空調装置の運転が停止する。
【００４７】
ステップＳ１２においては、第２温度検知手段６４が室内吸入部２３を通して吸入された空気（即ち、室内空気）の温度を検知し、また第２湿度検知手段６６は、この室内空気の湿度を検知し、第２温度検知手段６４及び第２湿度検知手段６６からの検知信号は制御手段７２に送給され、それらの検知室内温度及び検知室内湿度がメモリ手段９２に記憶される。
【００４８】
このように室内空気の温度及び湿度の検知が行われると、温度遷移が律速かの判定が行われる。即ち、温度遷移演算手段８０は、所定時間前の室内空気の検知温度（メモリ手段９２に記憶されている）と現在の室内空気の検知温度との温度差を演算し、この温度差に基づいて温度遷移状態を演算する（ステップＳ１５）。また、湿度遷移演算手段８２は、所定時間前の室内空気の検知湿度（メモリ手段９２に記憶されている）と現在の室内空気の検知湿度との湿度差を演算し、この湿度差に基づいて湿度遷移状態を演算する（ステップＳ１６）。
【００４９】
そして、律速判定手段８４は、温度遷移演算手段８０及び湿度遷移演算手段８２により演算された温度遷移状態及び湿度遷移状態に基づいて、温度遷移が律速かの判定を行う（ステップＳ１７）。この律速判定について、図８（ａ）及び（ｂ）を参照して更に説明すると、図８（ａ）に示すように、デシカント空調装置を所定時間にわたって運転したときに、室内空気の温度の変化状態（即ち、温度遷移演算手段８０により演算された温度遷移状態）がその湿度の変化状態（即ち、湿度遷移演算手段８２により演算された湿度遷移状態）よりも大きいときに、律速判定手段８４は、湿度遷移が律速と判定する。一方、図８（ｂ）に示すように、デシカント空調装置を所定時間にわたって運転したときに、室内空気の湿度の変化状態（即ち、湿度遷移演算手段８２により演算された湿度遷移状態）が室内空気の温度の変化状態（即ち、温度遷移演算手段８０により演算された温度遷移状態）よりも大きいときに、律速判定手段８４は、温度遷移が律速と判定する。
【００５０】
律速判定手段８４が温度遷移が律速であると判定したときには、ステップＳ１７からスＳ１８に進み、開度設定手段７８は、上述した開度テーブルに基づいてダンパー手段７０の開度が一段階大きくなるように設定する。例えば、ダンパー手段７０の開度が「１／２」のときには、１段階「１」に近づく方向に開度「２／３」にアップされ、このようにアップすることによって、容易に理解されるように、第１排出ライン２０から排出される冷却空気の送給量が一段階増大し、第２排出ライン２２から排出される除湿空気の送給量が一段階減少する。このように設定開度が一段階アップした後、運転モード設定手段８７は温度遷移律速モードを設定し、この温度律速モードの運転でもってデシカント空調装置が制御される（ステップＳ１９）。
【００５１】
また、律速判定手段８４が湿度遷移が律速であると判定したときには、ステップＳ１７からステップＳ２０に移り、開度設定手段７８は、上述した開度テーブルに基づいてダンパー手段７０の開度が一段階小さくなるように設定する。例えば、ダンパー手段７０の開度が「１／２」のときには、１段階「０」に近づく方向に開度「１／３」にダウンされ、このようにダウンすることによって、容易に理解されるように、第１排出ライン２０から排出される冷却空気の送給量が一段階減少し、第２排出ライン２２から排出される除湿空気の送給量が一段階増大する。このように設定開度が一段階ダウンした後、運転モード設定手段８７は湿度遷移律速モードを設定し、この湿度遷移律速モードの運転でもってデシカント空調装置が制御される（ステップＳ２１）。
【００５２】
温度遷移律速時の運転制御は、図４に示すように行われる。この温度遷移律速モードの運転開始により、計時手段９０の計時が開始し（ステップＳ３１）、この計時手段９０が所定時間を計時するまでこの温度遷移律速モードの運転が行われる。尚、この温度遷移律速モードの運転中にリモコン８６の電源スイッチ９８をオフ操作すると、ステップＳ３２からステップＳ３３を経てステップＳ３４に進み、温度遷移律速モードによるデシカント空調装置の運転が停止する。
【００５３】
この温度遷移律速モードの運転が所定時間にわたって行われると、ステップＳ３２からステップＳ３５に移り、再び空調対象空間（室内空間）の温度及び湿度の検知が行われ、第２温度検知手段６４は室内空気の温度を検知し、第２湿度検知手段６６は室内空気の湿度を検知し、これら検知信号が制御手段７２に送給され、その検知室内温度及び検知室内湿度がメモリ手段９２に記憶される。
【００５４】
次いで、リモコン８６により設定された設定温度及び設定湿度と検知室内温度及び検知室内湿度との温度差及び湿度差の演算が行われる（ステップＳ３６）。即ち、温度差演算手段７６は、上記設定温度と第２温度検知手段６４の検知温度（検知室内温度）との温度差を演算し、また湿度差演算手段７６は、上記設定湿度と第２湿度検知手段６６の検知湿度（検知室内湿度）との湿度差を演算する。
【００５５】
そして、温度差演算手段７６による温度差及び湿度演算手段７６による湿度差がないときには、開度設定手段７８はダンパー手段７０の開度をそのまま維持してステップＳ３７からステップＳ３８に進み、空調対象空間（室内空間）に対する温度及び湿度の制御が一時的に中止されて換気運転モードの運転が設定され、制御手段７２は、換気運転モードでもってデシカント空調装置を運転制御する（ステップＳ３９）。この換気運転モードの運転においては、第１及び第２駆動源４２，４６の駆動が停止し、これによって、第１及び第２デシカントロータ４，８の回動が停止し、また熱源機５６の作動が停止し、第１顕熱交換器６において吸入側ライン２４を流れる外部からの空気と第１中間分岐ライン３２を流れる空調対象空間（室内空間）からの空気との間で熱交換が行われ、また第２顕熱交換器１０において吸入側ライン２４を流れる外部からの空気と第２中間分岐ライン３４を流れる空調対象空間（室内空間）からの空気との間で熱交換が行われ、このように熱交換された空気が第１及び第２排出ライン２０，２２から排出される。
【００５６】
この換気運転モードの運転が開始すると、計時手段９０による計時が開始され（ステップＳ４０）、この計時手段９０が所定時間（例えば、２０〜３０分程度に設定される）を計時するまで換気運転モードの運転が行われ、所定時間計時した後はステップＳ４１からステップＳ１２に戻り、上述した温度遷移が律速かの判定が行われる。尚、この換気運転モードの運転中にリモコン８６の電源スイッチ９８がオフ操作されると、ステップＳ４２からステップＳ４３に進み、デシカント空調装置の運転が停止する。
【００５７】
この温度優先モードの運転制御においては、温度変化が優先的に制御される。即ち、湿度に関係なく、第２温度検知手段６４の検知温度（室内温度）が上記設定温度よりも高いときには、空調対象空間に対する冷房能力を強くする必要があるので、ステップＳ４４からステップＳ４５に進み、開度設定手段７８は、メモリ手段９２に登録された開度テーブルに基づいてダンパー手段７０の開度を一段階アップし、その後ステップＳ１１に戻り、ダンパー手段７０の開度を一つアップした状態でデシカント空調装置が運転される。従って、このときには、第１排出ライン２０から排出される冷却空気の送給量が一段階増大し（これに伴って、第２排出ライン２２から排出される除湿空気の送給量が一段階減少する）、空調対象空間に対する冷房能力が一段階強められる。
【００５８】
一方、第２温度検知手段６４の検知温度（室内温度）が上記設定温度よりも低いときには、空調対象空間に対する冷房能力を弱くする必要があるので、ステップＳ４４からステップＳ４６を経てステップＳ４７に移り、開度設定手段７８は、メモリ手段９２に登録された開度テーブルに基づいてダンパー手段７０の開度を一段階ダウンし、その後ステップＳ１１に戻り、ダンパー手段７０の開度を一つダウンした状態でデシカント空調装置が運転される。従って、このときには、第１排出ライン２０から排出される冷却空気の送給量が一段階減少し（これに伴って、第２排出ライン２２から排出される除湿空気の送給量が一段階増大する）、空調対象空間に対する冷房能力が一段階弱められる。
【００５９】
また、第２温度検知手段６４の検知温度（室内温度）と上記設定温度との温度差がないときには、次に、第２湿度検知手段６６の検知湿度（室内湿度）と上記設定湿度との湿度差に基づいて制御される。第２湿度検知手段６６の検知湿度（室内湿度）が上記設定湿度よりも低いときには、空調対象空間に対する湿度を高くする必要があるので、ステップＳ４４からステップＳ４６及びステップＳ４８を経てステップＳ４５に移り、上述したと同様に、開度設定手段７８は、上記開度テーブルに基づいてダンパー手段７０の開度を一段階アップし、その後ステップＳ１１に戻る。従って、このときには、第２排出ライン２２から排出される除湿空気の送給量が一段階減少し（これに伴って、第１排出ライン２０から排出される冷却空気の送給量が一段階増大する）、空調対象空間に対する除湿能力が一段階弱められる。
【００６０】
一方、第２湿度検知手段６６の検知湿度（室内湿度）が上記設定湿度よりも高いときには、空調対象空間に対する湿度を低くする必要があるので、ステップＳ４４からステップＳ４６及びステップＳ４８を経てステップＳ４７に移り、上述したと同様に、開度設定手段７８は、上記開度テーブルに基づいてダンパー手段７０の開度を一段階ダウンし、その後ステップＳ９に戻る。従って、このときには、第２排出ライン２２から排出される除湿空気の送給量が一段階増大し（これに伴って、第１排出ライン２０から排出される冷却空気の送給量が一段階減少する）、空調対象空間に対する除湿能力が一段階強められる。
【００６１】
また、湿度遷移律速時の運転制御は、図５に示すように行われる。この湿度遷移律速モードの運転開始により、計時手段９０の計時が開始し（ステップＳ５１）、この計時手段９０が所定時間を計時するまでこの湿度遷移律速モードの運転が行われる。尚、この湿度遷移律速モードの運転中にリモコン８６の電源スイッチ９８をオフ操作すると、ステップＳ５２からステップＳ５３を経てステップＳ５４に進み、湿度遷移律速モードによるデシカント空調装置の運転が停止する。
【００６２】
この湿度遷移律速モードの運転が所定時間にわたって行われると、ステップＳ５２からステップＳ５５に移り、空調対象空間（室内空間）の温度及び湿度の検知が行われ、第２温度検知手段６４は室内空気の温度を検知し、第２湿度検知手段６６は室内空気の湿度を検知し、これら検知信号が制御手段７２に送給され、その検知室内温度及び検知室内湿度がメモリ手段９２に記憶される。
【００６３】
次いで、リモコン８６の設定温度及び設定湿度と検知室内温度及び検知室内湿度との温度差及び湿度差の演算が行われる（ステップＳ５６）。即ち、温度差演算手段７６は、上記設定温度と第２温度検知手段６４の検知温度との温度差を演算し、また湿度差演算手段７６は、上記設定湿度と第２湿度検知手段６６の検知湿度との湿度差を演算する。
【００６４】
そして、温度差演算手段７６による温度差及び湿度演算手段７６による湿度差がないときには、開度設定手段７８はダンパー手段７０の開度をそのまま維持してステップＳ５７からステップＳ５８に進み、上述したと同様に、空調対象空間（室内空間）に対する温度及び湿度の制御が一時的に中止されて換気運転モードの運転が設定され、制御手段７２は、換気運転モードでもってデシカント空調装置を運転制御する（ステップＳ５９）。この換気運転モードの運転は、上述したと同様に行われる。この換気運転モードの運転が開始すると、計時手段９０による計時が開始され（ステップＳ６０）、この計時手段９０が所定時間計時するまで換気運転モードの運転が行われ、所定計時した後はステップＳ６１からステップＳ１２に戻り、上述した温度遷移が律速かの判定が行われる。尚、この換気運転モードの運転中に電源スイッチ９８がオフ操作されると、ステップＳ６２からステップＳ６３に進み、デシカント空調装置の運転が停止する。
【００６５】
この湿度優先モードの運転制御においては、湿度変化が優先的に制御される。即ち、温度に関係なく、第２湿度検知手段６６の検知湿度（室内湿度）が上記設定湿度よりも高いときには、空調対象空間に対する除湿能力を強くする必要があるので、ステップＳ６４からステップＳ６５に進み、開度設定手段７８は、メモリ手段９２に登録された開度テーブルに基づいてダンパー手段７０の開度を一段階ダウンし、その後ステップＳ１１に戻り、ダンパー手段７０の開度を一つダウンした状態でデシカント空調装置が運転される。従って、このときには、第２排出ライン２２から排出される除湿空気の送給量が一段階増大し（これに伴って、第１排出ライン２０から排出される冷却空気の送給量が一段階減少する）、空調対象空間に対する除湿能力が一段階強められる。
【００６６】
一方、第２湿度検知手段６６の検知湿度（室内湿度）が上記設定湿度よりも低いときには、空調対象空間に対する除湿能力を弱くする必要があるので、ステップＳ６４からステップＳ６６を経てステップＳ６７に移り、開度設定手段７８は、メモリ手段９２に登録された開度テーブルに基づいてダンパー手段７０の開度を一段階アップし、その後ステップＳ１１に戻り、ダンパー手段７０の開度を一つアップした状態でデシカント空調装置が運転される。従って、このときには、第２排出ライン２２から排出される除湿空気の送給量が一段階減少し（これに伴って、第１排出ライン２０から排出される冷却空気の送給量が一段階増大する）、空調対象空間に対する除湿能力が一段階弱められる。
【００６７】
また、第２湿度検知手段６６の検知湿度（室内湿度）と上記設定湿度との湿度差がないときには、次に、第２温度検知手段６４の検知温度（室内温度）と上記設定湿度との温度差に基づいて制御される。第２温度検知手段６４の検知温度が上記設定温度よりも低いときには、空調対象空間に対する温度を高くする必要があるので、ステップＳ６４からステップＳ６６及びステップＳ６８を経てステップＳ６５に移り、上述したと同様に、開度設定手段７８は、上記開度テーブルに基づいてダンパー手段７０の開度を一段階ダウンし、その後ステップＳ１１に戻る。従って、このときには、第１排出ライン２０から排出される冷却空気の送給量が一段階減少し（これに伴って、第２排出ライン２２から排出される除湿空気の送給量が一段階増大する）、空調対象空間に対する冷房能力が一段階弱められる。
【００６８】
一方、第２温度検知手段６４の検知温度が上記設定温度よりも高いときには、空調対象空間に対する温度を低くする必要があるので、ステップＳ６４からステップＳ６６及びステップＳ６８を経てステップＳ６７に移り、上述したと同様に、開度設定手段７８は、上記開度テーブルに基づいてダンパー手段７０の開度を一段階アップし、その後ステップＳ１１に戻る。従って、このときには、第１排出ライン２０から排出される冷却空気の送給量が一段階増大し（これに伴って、第２排出ライン２２から排出される除湿空気の送給量が一段階減少する）、空調対象空間に対する冷房能力が一段階強められる。
【００６９】
以上、本発明に従うデシカント空調装置の一実施形態について説明したが、本発明はかかる実施形態に限定されるものではなく、本発明の範囲を逸脱することなく種々の変更乃至修正が可能である。
【符号の説明】
【００７０】
２  装置ハウジング
４  第１デシカントロータ
６  第１顕熱交換器
８  第２デシカントロータ
１０  第２顕熱交換器
２０  第１排出ライン
２２  第２排出ライン
２４  吸入側ライン
２６  排出側ライン
６０，６４  温度検知手段
６２，６６  湿度検知手段
７０  ダンパー手段
７２  制御手段
７８  開度設定手段
８０  温度遷移演算手段
８２  湿度遷移演算手段
８４  律速判定手段
８８  運転モード設定手段
【図１】
0005701121.tif 000002
【図２】
0005701121.tif 000003
【図３】
0005701121.tif 000004
【図４】
0005701121.tif 000005
【図５】
0005701121.tif 000006
【図６】
0005701121.tif 000007
【図７】
0005701121.tif 000008
【図８】
0005701121.tif 000009